(57)【要約】【課題】原稿台に外乱光が入射している場合、より有益な情報をユーザーに提供することができる画像読取装置およびその制御方法を提供すること。【解決手段】画像読取装置１は、原稿を載置するためのプラテンガラス１１と、プラテンガラス１１を介して入射する光量に応じて、プラテンガラス上に載置された原稿の画像を読取るためのスキャナー部１４とを備える。プラテンガラス１１に対して複数の領域が設定されている。スキャナー部１４は、プラテンガラス１１における複数の領域のそれぞれに入射する光量を読み取る。画像読取装置１では、複数の領域のうち、読み取られた光量が所与の値を超えた領域を特定する情報が出力される。【選択図】図１
2017200038.tif 000002
【特許請求の範囲】
【請求項１】
原稿を載置するためのプラテンガラスと、
前記プラテンガラスを介して入射する光量に応じて、前記プラテンガラス上に載置された原稿の画像を読取るための読取部とを備え、
前記読取部は、前記プラテンガラスにおける複数の領域のそれぞれに入射する光量を読み取り、
前記複数の領域のうち、読み取られた前記光量が所与の値を超えた領域を特定する情報を出力するための出力部をさらに備える、画像読取装置。
【請求項２】
前記読取部は、前記プラテンガラスに光を照射するための光源を含み、
前記出力部は、前記光源が前記プラテンガラスに光を照射したときに前記読取部が前記光量を読み取った場合の前記情報を出力する、請求項１に記載の画像読取装置。
【請求項３】
前記読取部は、前記プラテンガラスに光を照射するための光源を含み、
前記出力部は、前記光源が前記プラテンガラスに光を照射していないときに前記読取部が前記光量を読み取った場合の前記情報を出力する、請求項１に記載の画像読取装置。
【請求項４】
前記出力部は、前記プラテンガラスにおいて、読み取られた前記光量が前記所与の値を超えない領域に含まれる矩形を特定する情報を出力する、請求項１〜請求項３のいずれか１項に記載の画像読取装置。
【請求項５】
前記出力部は、前記複数の領域のすべてにおいて前記光量が前記所与の値を超えない場合には、前記プラテンガラスのすべての領域において外乱光が検出されないことを表わす情報を出力する、請求項１〜請求項４のいずれか１項に記載の画像読取装置。
【請求項６】
前記出力部は、前記複数の領域のすべてにおいて前記光量が前記所与の値を超える場合には、前記プラテンガラスのすべての領域において外乱光が検出されたことを表わす情報を出力する、請求項１〜請求項５のいずれか１項に記載の画像読取装置。
【請求項７】
前記出力部は、前記プラテンガラスを模式的に表示し、さらに、出力される情報によって特定される前記プラテンガラス中の領域を模式的に表示するための、表示装置を含む、請求項１〜請求項６のいずれか１項に記載の画像読取装置。
【請求項８】
前記出力部は、前記プラテンガラスにおける前記情報に対応する位置を指し示すためのインジケーターを含む、請求項１〜請求項７のいずれか１項に記載の画像読取装置。
【請求項９】
原稿を載置するためのプラテンガラスにおける複数の領域のそれぞれにおいて入射する光量を読み取るステップと、
前記複数の領域のうち、読み取られた前記光量が所与の値を超えた領域を特定する情報を出力するステップとを備える、画像読取装置の制御方法。
【請求項１０】
前記光量を読み取るステップは、前記プラテンガラスを覆うプラテンカバーが開かれた状態で実施される、請求項９に記載の画像読取装置の制御方法。
【発明の詳細な説明】
【技術分野】
【０００１】
本開示は、画像読取装置およびその制御方法に関し、特に、原稿台への外乱光の影響に対処するための画像読取装置およびその制御方法に関する。
【背景技術】
【０００２】
従来、画像読取装置において、原稿台への外乱光の影響が種々検討されてきた。たとえば、特開２００４−３３３６７６号公報（特許文献１）は、外光量を検出するための手段を備える画像読取装置を開示している。当該画像読取装置は、透明原稿台全体の外光量が予め設定された閾値を越えた場合には、エラー状態として画像読み取り動作の実行を禁止し、当該装置がエラー状態にあることを通知する。
【先行技術文献】
【特許文献】
【０００３】
【特許文献１】特開２００４−３３３６７６号公報
【発明の概要】
【発明が解決しようとする課題】
【０００４】
しかしながら、特許文献１に記載の技術は、エラー状態が発生した場合、画像読取動作を禁止したり、当該禁止を通知したりできるものの、それ以上にユーザーに対して有益な情報を提供することができなかった。
【０００５】
本開示は、係る実情に鑑み考え出されたものであり、その目的は、原稿台に外乱光が入射している場合、より有益な情報をユーザーに提供することができる画像読取装置およびその制御方法を提供することである。
【課題を解決するための手段】
【０００６】
ある局面に従うと、原稿を載置するためのプラテンガラスと、プラテンガラスを介して入射する光量に応じて、プラテンガラス上に載置された原稿の画像を読取るための読取部とを備える画像読取装置が提供される。読取部は、プラテンガラスにおける複数の領域のそれぞれに入射する光量を読み取る。画像読取装置は、複数の領域のうち、読み取られた光量が所与の値を超えた領域を特定する情報を出力するための出力部をさらに備える。
【０００７】
好ましくは、読取部は、プラテンガラスに光を照射するための光源を含む。出力部は、光源がプラテンガラスに光を照射したときに読取部が光量を読み取った場合の情報を出力する。
【０００８】
好ましくは、読取部は、プラテンガラスに光を照射するための光源を含む。出力部は、光源がプラテンガラスに光を照射していないときに読取部が光量を読み取った場合の情報を出力する。
【０００９】
好ましくは、出力部は、プラテンガラスにおいて、読み取られた光量が所与の値を超えない領域に含まれる矩形を特定する情報を出力する。
【００１０】
好ましくは、出力部は、複数の領域のすべてにおいて光量が所与の値を超えない場合には、プラテンガラスのすべての領域において外乱光が検出されないことを表わす情報を出力する。
【００１１】
好ましくは、出力部は、複数の領域のすべてにおいて光量が所与の値を超える場合には、プラテンガラスのすべての領域において外乱光が検出されたことを表わす情報を出力する。
【００１２】
好ましくは、出力部は、プラテンガラスを模式的に表示し、さらに、出力される情報によって特定されるプラテンガラス中の領域を模式的に表示するための、表示装置を含む。
【００１３】
好ましくは、出力部は、プラテンガラスにおける情報に対応する位置を指し示すためのインジケーターを含む。
【００１４】
本開示の他の局面に従うと、原稿を載置するためのプラテンガラスにおける複数の領域のそれぞれにおいて入射する光量を読み取るステップと、複数の領域のうち、読み取られた光量が所与の値を超えた領域を特定する情報を出力するステップとを備える、画像読取装置の制御方法が提供される。
【００１５】
好ましくは、光量を読み取るステップは、プラテンガラスを覆うプラテンカバーが開かれた状態で実施される。
【発明の効果】
【００１６】
本開示によれば、プラテンガラス対して複数の領域が設定され、当該複数の領域のそれぞれに入射する光量が読み取られ、当該複数の領域のうち読み取られた光量が所与の値を超えた領域を特定する情報が出力される。
【図面の簡単な説明】
【００１７】
【図１】本開示に係る画像読取装置の一実施の形態を示す図である。
【図２】操作パネルの外観の一例を示す図である。
【図３】画像読取装置においてプラテンカバーで反射される光を示す図である。
【図４】操作パネルのタッチパネルの表示態様の他の例を示す図である。
【図５】画像読取装置のハードウェア構成の一例を示す図である。
【図６】第１のモードによる外乱光の検出のために実行される処理のフローチャートである。
【図７】プラテンガラスにおける、複数の領域の定義の態様の一例を説明するための図である。
【図８】複数の領域における光量の検出結果の一例を模式的に示す図である。
【図９】外乱光領域の表示態様の一例を示す図である。
【図１０】プラテンガラス上に配置された原稿を模式的に示す図である。
【図１１】主走査方向に沿ったラインの一例における検出出力の２つの例を示す図である。
【図１２】第２のモードによる外乱光の検出のために実行される処理のフローチャートである。
【図１３】原稿載置許可領域の特定の一例を説明するための図である。
【図１４】原稿載置許可領域の特定の一例を説明するための図である。
【図１５】原稿載置許可領域の表示態様の一例を示す図である。
【図１６】画像読取装置のハードウェア構成の変形例を示す図である。
【図１７】図１６の画像読取装置のプラテンガラス近傍を模式的に示す図である。
【図１８】第１ＬＥＤ（Light  Emitting  Diode）ユニットと第２ＬＥＤユニットの点灯態様の一例を示す図である。
【発明を実施するための形態】
【００１８】
以下に、図面を参照しつつ、画像読取装置の実施の形態について説明する。以下の説明では、同一の部品および構成要素には同一の符号を付してある。それらの名称および機能も同じである。したがって、これらの説明は繰り返さない。
【００１９】
（１）画像読取装置の概要
図１は、本開示に係る画像読取装置の一実施の形態を示す図である。図１の画像読取装置１は、本体１Ａとプラテンカバー１２とを含む。本体１Ａは、画像読取装置１の動作を制御する制御部１０と、原稿を載置するためのプラテンガラス１１と、プラテンガラス１１上の原稿の画像を読み取るスキャナー部１４と、操作パネル１５とを含む。図１では、プラテンガラス１１上に載置された原稿は、原稿１３として示されている。スキャナー部１４は、プラテンガラス１１を介して入射する光量に応じて、当該プラテンガラス１１上に載置された原稿１３の画像を読取るための、読取部の一例である。
【００２０】
プラテンカバー１２は、プラテンガラス１１を覆う。スキャナー部１４の主走査方向は、図１の紙面に交わる方向に対応する。プラテンカバー１２は、スキャナー部１４の主走査方向についての一端を本体１Ａに固定されている。
【００２１】
図２は、操作パネル１５の外観の一例を示す図である。図２に示されるように、操作パネル１５は、タッチパネル１５０と、スタートキー等のハードウェアボタン１５１とを含む。タッチパネル１５０は、「解像度」（画像読取における解像度の設定）等の種々の機能のそれぞれを設定するためのソフトウェアキーを表示し得る。
【００２２】
スキャナー部１４は、光源（後述する図５の光源１４Ａ）を含む。スキャナー部１４は、プラテンガラス１１の下方から光を照射し、プラテンガラス１１からの反射光を読み取る。スキャナー部１４は、主走査方向および副走査方向に走査しながら反射光を読み取ることにより、プラテンガラス１１上の原稿の画像のデータを生成する。
【００２３】
画像読取装置１は、スキャナー部１４によって検出される、プラテンガラス１１を通る光の量に基づいて、プラテンガラス１１に対する外乱光を検出し得る。外乱光は、図１において外乱光Ｆ１として示されるように、画像読取装置１の外部からプラテンガラス１１に直接入射する光を含む。図３は、画像読取装置１においてプラテンカバー１２で反射される光を示す図である。画像読取装置１において、スキャナー部１４は、図３において光Ｆ２として示されるように、スキャナー部１４の光源から出力され、プラテンカバー１２で反射されて、プラテンガラス１１を通過する光を検出し得る。
【００２４】
画像読取装置１における外乱光の検出は、第１のモードと第２のモードとを含む。第１のモードは、スキャナー部１４の光源が消灯された状態で実行される。第２のモードは、スキャナー部１４の光源が点灯された状態で実行される。第１のモードでは、主に、外乱光Ｆ１（図１参照）が検出され得る。第２のモードでは、外乱光Ｆ１（図１参照）に加えて、外乱光Ｆ２（図２参照）が検出され得る。
【００２５】
図４は、操作パネル１５のタッチパネル１５０の表示態様の他の例を示す図である。画像読取装置１は、「メンテナンス」機能において、外乱光の検出のモードの設定を受け付ける。より具体的には、タッチパネル１５０は、第１のモードに対応するキーと第２のモードに対応するキーとを表示する。ユーザー（または、画像読取装置１をメンテナンスするためのサービスマン）は、タッチパネル１５０においてキーを選択することにより、外乱光の検出のモードを選択することができる。
【００２６】
（２）ハードウェア構成
図５は、画像読取装置１のハードウェア構成の一例を示す図である。図５に示されるように、画像読取装置１は、主に、制御部１０と、スキャナー部１４と、操作パネル１５とを含む。
【００２７】
制御部１０は、ＣＰＵ（Central  Processing  Unit）１０１と、ＣＰＵ１０１でプログラムを実行する際の作業領域として機能するためのＲＡＭ（Random  Access  Memory）１０２と、ネットワークを介した通信の制御のためのネットワークコントローラー１０３と、ＣＰＵ１０１で実行されるプログラムなどを記憶するためのＲＯＭ（Read  Only  Memory）１０４とを含む。ネットワークコントローラー１０３は、たとえば、ネットワークコントローラーを含む。ＣＰＵ１０１は、ネットワークコントローラー１０３を介して、データを外部の装置へ送信し、また、外部の装置からデータを受信する。
【００２８】
（３）処理の流れ（第１のモード）
図６は、第１のモードによる外乱光の検出のために実行される処理のフローチャートである。図６に示される処理は、たとえば、ＣＰＵ１０１がＲＯＭ１０４に格納されているプログラムを実行することによって実現される。当該処理は、たとえば、画像読取装置１においてメンテナンスが実行される際に、メンテナンスの一部として実行される。ＣＰＵ１０１は、たとえばタッチパネル１５０において第１のモードが選択されたことに応じて、図６の処理を実行する。
【００２９】
図６に示されるように、ステップＳ１０で、ＣＰＵ１０１は、スキャナー部１４に、光源１４Ａを消灯した状態で、プラテンガラス１１の全領域における入射光の光量を読み取らせる。その後、制御はステップＳ２０へ進む。
【００３０】
ステップＳ２０で、ＣＰＵ１０１は、ステップＳ１０においてスキャナー部１４が読み取った光量を取得する。画像読取装置１では、後述するように、プラテンガラス１１において複数の領域が定義される。ステップＳ２０において、ＣＰＵ１０１は、当該複数の領域のそれぞれについて、光量を取得する。その後、制御はステップＳ３０へ進む。
【００３１】
図７は、プラテンガラス１１における、複数の領域の定義の態様の一例を説明するための図である。図７には、第１の方向（図７では、縦方向）にＮ個、第１の方向に交わる第２の方向（図７では、横方向）にＭ個のマトリクスが模式的に示されている。スキャナー部１４は、複数個の受光素子（たとえば、ＣＣＤ（Charge Coupled Device））を含む。図７において、Ｎ×Ｍ個のマトリクスの外縁は、プラテンガラス１１に対応する。マトリクスにおける各マスは、スキャナー部１４に含まれる複数の受光素子のそれぞれに対応する受光領域に対応する。図７のマトリクスの複数のマスは、プラテンガラス１１に対して定義された複数の領域の一例である。ＣＰＵ１０１は、スキャナー部１４の各受光素子の検出出力に基づいて、プラテンガラス１１において定義された複数の領域のそれぞれに入射した光量を特定する。画像読取装置１において、プラテンガラス１１において定義される複数の領域は、必ずしも図７に示されるようにマトリクス状に配列されている必要はない。
【００３２】
ステップＳ３０で、ＣＰＵ１０１は、上記複数の領域のそれぞれについて、取得された光量ＱＬが予め定められた閾値ＬＳ１を超えているか否かを判断する。閾値ＬＳ１は、画像読取装置１において想定される外乱光の光量に応じて適宜設定され得る。ＣＰＵ１０１は、上記複数の領域のうち少なくとも１つの領域の光量が上記閾値を超えていると判断すると、ステップＳ４０へ制御を進める（ステップＳ３０でＹＥＳ）。一方、ＣＰＵ１０１は、上記複数の領域の全てについて、光量が上記閾値以下であると判断すると、ステップＳ６０へ制御を進める。
【００３３】
ステップＳ４０は、ＣＰＵ１０１は、複数の領域のうち、ステップＳ３０で、その光量が閾値ＬＳ１を超えた領域（外乱光領域）を特定する。その後、制御はステップＳ５０へ進む。
【００３４】
ステップＳ５０で、ＣＰＵ１０１は、タッチパネル１５０に、ステップＳ４０において特定された外乱光領域を表示して、図６の処理を終了する。これにより、画像読取装置１は、たとえば待機状態に戻る。
【００３５】
図８は、複数の領域における光量の検出結果の一例を模式的に示す図である。図９は、外乱光領域の表示態様の一例を示す図である。図８に示されるように、複数の領域の一部で検出された光量が上記閾値ＬＳ１を上回ると、図９に示されるように、タッチパネル１５０は、たとえば、プラテンガラス１１を模式的に示す枠Ｆ１を表示し、さらに、枠Ｆ１内に領域ＡＲ１を表示する。図８は、Ｎ×Ｍ個のマトリクスの中で、ハッチングを付された左上の５個のマスにおいて、光量が上記閾値ＬＳ１を上回ったことを示す。図９において、領域ＡＲ１は、プラテンガラス１１内の外乱光領域に対応する領域を示す。領域ＡＲ１は、タッチパネル１５０において、枠Ｆ１内の残りの領域とは異なる態様（図９ではハッチングを付されている）で表示される。この場合、タッチパネル１５０は、プラテンガラス１１と、プラテンガラス１１における外乱光領域に対応する領域とを模式的に表示する表示装置の一例である。
【００３６】
図６に戻って、ステップＳ６０で、ＣＰＵ１０１は、ステップＳ４０およびステップＳ５０の制御を実行することなく、画像読取装置１を通常状態（たとえば、待機状態）に戻し、図６の処理を終了する。ＣＰＵ１０１は、ステップＳ６０で、タッチパネル１５０に、プラテンガラス１１に対して定義された複数の領域のすべてにおいて外乱光が検出されたなかったことを示す情報（メッセージ等）を表示してもよい。
【００３７】
たとえば、サービスマンが、画像読取装置１を設置する際、プラテンカバー１２を開き、原稿１３をプラテンガラス１１に載置していない状態で第１モードを選択することにより、図６に示された処理が実行される。サービスマンは、プラテンガラス１１内へ入射する外乱光領域の情報を得ることができる。プラテンガラス１１内の外乱光領域に基づいて、サービスマンは、例えば、室内の照明器具と画像読取装置１の相対位置、および、照明器具からプラテンガラス１１へ入射している外乱光の入射方向を、確認できる。このため、サービスマンが、画像読取装置１の設置場所として、照明器具からの外乱光がプラテンガラス１１へ入射しない場所を特定することが容易となり得る。
【００３８】
プラテンガラス１１における全ての領域が外乱光領域である場合、ステップＳ５０で、ＣＰＵ１０１は、タッチパネル１５０に、特別のメッセージを表示してもよい。
【００３９】
（４）スカイショット方法
画像読取装置１では、プラテンカバー１２を開いた状態で、原稿の画像の読み取りが実行される場合がある。このような画像の読み取り方法は、たとえば「スカイショット方法」と呼ばれる。図１０および図１１は、スカイショット方法を説明するための図である。図１０は、プラテンガラス１１上に配置された原稿１３を模式的に示す図である。図１１は、主走査方向に沿ったラインの一例における検出出力について２つの例を示す図である。
【００４０】
ユーザー（サービスマン）は、プラテンカバー１２を開き、原稿１３をプラテンガラス１１上に載置した状態で、スタートキーを操作する。これにより、スキャナー部１４は、光源１４Ａを点灯させながら、主走査方向および副走査方向に沿って走査しながら画像を読み取る。より具体的には、スキャナー部１４は、上記複数の領域のそれぞれについて、原稿１３からの反射光をセンサー（光量検出用のセンサー）で検知する。さらに具体的には、スキャナー部１４は、上記複数の領域のそれぞれについての、センサーからの出力電圧のＡＤ（Analogue-Digital）変換および数値化により、出力値を得る。
【００４１】
プラテンカバー１２が閉じられていない状態では、プラテンガラス１１において原稿１３が載置されていない領域の反射光の光量は、通常、実質的に０となる。一方、原稿１３が載置されている領域では、光源１４Ａから出力された光は原稿１３によって反射するため、反射光の光量は０を上回る。ＣＰＵ１０１は、出力値におけるレベルの差に基づいて、原稿１３のエッジを特定する。
【００４２】
図１１は、場合Ａと場合Ｂとを示す。場合Ａは、線Ｌ１１として、通常の検出出力を示す。線Ｌ１１は、エッジＥ１，Ｅ２として示されるように、主走査方向における原稿の２つのエッジにおいて、検出出力が変化を示している。
【００４３】
一方、プラテンガラス１１に外乱光が入射すると、スキャナー部１４において検出される光量からエッジを特定することが困難になる。より具体的には、たとえば、図１０のプラテンガラス１１の上方の領域ＡＲ２は、プラテンガラス１１において外乱光Ｆ１が入射する領域であるとする。図１０の例では、原稿１３の一部が、領域ＡＲ２内に載置されている。図１１の場合Ｂの線ｌ１２が、図１０内の線ＬＸに沿った主走査方向における光量の検出出力を示す場合、領域ＡＲ２における原稿１３の端部は、当該検出出力からは特定されにくい。図１０において、円Ｃ１１は、領域ＡＲ２における原稿１３の端部近傍を表わす。図１１の場合Ｂにおいて、円Ｃ１２は、図１０の円Ｃ１１に対応する部分を表わす。図１１の場合Ｂでは、場合Ａと比較して、円Ｃ１２における検出出力が、顕著な変化を示さない。
【００４４】
以上、図１０および図１１を参照して説明されたように、プラテンガラス１１に外乱光が侵入するとき、特にスカイショット方法によって原稿の画像を読み取る場合には、原稿のエッジが特定できなくなるという不都合が生じる。本実施の形態の画像読取装置１では、プラテンガラス１１において外乱光が侵入する領域が特定され、当該特定された領域が表示される。当該表示を確認したサービスマンおよびユーザーは、当該外乱光がプラテンガラス１１に侵入しないように、画像読取装置１の設置場所を変更することができる。
【００４５】
（５）処理の流れ（第２のモード）
次に、第２のモードについて実行される処理を説明する。第２のモードでは、スキャナー部１４の光源１４Ａが点灯された状態で、外乱光が発生している領域が特定される。図１２は、第２のモードによる外乱光の検出のために実行される処理のフローチャートである。図１２に示される処理は、たとえば、ＣＰＵ１０１がＲＯＭ１０４に格納されているプログラムを実行することによって実現される。当該処理は、たとえば、画像読取装置１においてメンテナンスが実行される際に、メンテナンスの一部として実行される。ＣＰＵ１０１は、たとえばタッチパネル１５０において第２のモードが選択されたことに応じて、図１２の処理を実行する。
【００４６】
図１２の処理は、図６のステップＳ１０〜Ｓ６０のそれぞれに対応するステップＳＡ１０〜ＳＡ６０を含む。図６の処理と比較して、図１２の処理では、各領域の光量に対して利用される閾値が異なる。図１２の処理で利用される閾値ＬＳ２は、図６の処理で利用される閾値ＬＳ１よりも高いことが好ましい。図６の処理では光源１４Ａが点灯していないのに対して、図１２の処理では光源１４Ａが点灯している。したがって、スキャナー部１４が受ける光は、光源１４Ａから出力されてプラテンカバー１２で反射されたもの（光Ｆ２）も含むと考えられるからである。
【００４７】
つまり、図１２の処理は、光源１４Ａが点灯した状態で実行される。スキャナー部１４は、外部からプラテンガラス１１に入射する外乱光Ｆ１に加えて、光源１４Ａから出力された光がプラテンカバー等に反射した外乱光Ｆ２を、受光する。これにより、外部からの外乱光Ｆ１と、画像読取装置１内部から照射した光から起因する周辺部材からの外乱光（反射光）とが、検出され得る。
【００４８】
以上説明された図６の処理および図１２の処理は、プラテンガラス１１上に、原稿１３が載置されていない状態で実行されてもよいし、原稿１３が載置された状態で実行されてもよい。
【００４９】
（６）原稿載置許可領域の通知
図６の処理のステップＳ５０または図１２の処理のステップＳＡ５０において、ＣＰＵ１０１は、タッチパネル１５０に、外乱光領域を特定する情報を表示する。ＣＰＵ１０１は、外乱光領域を特定する情報の代わりに、外乱光領域以外の領域を特定する情報を表示してもよい。プラテンガラス１１において、外乱光領域以外の領域は、図１０および図１１を参照して説明されたような原稿１３のエッジ検出に関する問題が、生じないと考えられる領域である。したがって、外乱光領域以外の領域を特定する情報が表示されることにより、ユーザーは、プラテンガラス１１において、原稿１３を載置すべき領域を理解することができる。
【００５０】
原稿載置許可領域は、矩形領域として通知されてもよい。図１３および図１４は、原稿載置許可領域の特定の一例を説明するための図である。
【００５１】
図１３では、プラテンガラス１１における外乱光領域（図６の処理において受光量が閾値ＬＳ１を超えた領域、または、図１２の処理において受光量が閾値ＬＳ２を超えた領域）が、領域ＡＸで示されている。ＣＰＵ１０１は、たとえば、プラテンガラス１１から、プラテンガラス１１の領域ＡＸ以外の部分において設定される最大の矩形を、原稿載置許可領域として特定する。
【００５２】
図１４には、図１３の例に対して特定された原稿載置許可領域が示される。図１４において、領域ＡＹは、プラテンガラス１１において、領域ＡＸ以外の部分において設定された最大の矩形の一例である。
【００５３】
図１５は、原稿載置許可領域の表示態様の一例を示す図である。ＣＰＵ１０１は、図１４に示されるように特定された原稿載置許可領域を、たとえば図１５に示される態様で、タッチパネル１５０に表示する。図１５において、タッチパネル１５０は、プラテンガラス１１を模式的に示す矩形Ｒ１と、図１４の領域ＡＹを模式的に示す矩形Ｒ２とを、表示する。
【００５４】
（７）インジケーターによる原稿載置許可領域の表示
画像読取装置１は、プラテンガラス１１の近傍に、プラテンガラス１１における原稿載置許可領域を指し示すためのインジケーターを備えていてもよい。図１６は、画像読取装置１のハードウェア構成の変形例を示す図である。図１６に示された画像読取装置１は、ＬＥＤユニット１８をさらに含む。ＣＰＵ１０１は、ＬＥＤユニット１８の動作を制御する。
【００５５】
図１７は、図１６の画像読取装置１のプラテンガラス１１近傍を模式的に示す図である。図１７に示されるように、画像読取装置１の本体１Ａは、プラテンガラス１１と、第１ＬＥＤユニット１８Ａと、第２ＬＥＤユニット１８Ｂとを含む。第１ＬＥＤユニット１８Ａと第２ＬＥＤユニット１８Ｂは、ＬＥＤユニット１８を構成する。第１ＬＥＤユニット１８Ａと第２ＬＥＤユニット１８Ｂのそれぞれは、たとえば複数のＬＥＤ素子を含む。
【００５６】
ＣＰＵ１０１は、第１ＬＥＤユニット１８Ａと第２ＬＥＤユニット１８Ｂのそれぞれの、原稿載置許可領域に対応する部分のみを点灯させることができる。図１８は、第１ＬＥＤユニット１８Ａと第２ＬＥＤユニット１８Ｂの点灯態様の一例を示す図である。図１８には、参照として、プラテンガラス１１に対して特定された原稿載置許可領域が、枠ＦＰで示されている。第１ＬＥＤユニット１８Ａは、第１の方向に沿うように延在する。第２ＬＥＤユニット１８Ｂは、第２の方向に沿うように延在する。図１８では、第１ＬＥＤユニット１８Ａおよび第２ＬＥＤユニット１８Ｂのそれぞれにおいて、点灯している部分がハッチングを付されて示されている。
【００５７】
図１８の例では、ＣＰＵ１０１は、第１ＬＥＤユニット１８Ａのうち、第１の方向において枠ＦＰに対応する部分のみを点灯し、また、第２ＬＥＤユニット１８Ａのうち、第２の方向において枠ＦＰに対応する部分のみを点灯する。
【００５８】
ＣＰＵ１０１は、たとえばメンテナンス時に、原稿載置許可領域を特定し、当該原稿載置許可領域を特定する情報をＲＡＭ１０２等の記憶装置に格納する。その後、ＣＰＵ１０１は、新たに原稿載置許可領域が特定されるまで、その時点での原稿載置許可領域を指し示すように、第１ＬＥＤユニット１８Ａおよび第２ＬＥＤユニット１８Ｂを点灯させる。
【００５９】
今回開示された各実施の形態は全ての点で例示であって制限的なものではないと考えられるべきである。本発明の範囲は上記した説明ではなくて特許請求の範囲によって示され、特許請求の範囲と均等の意味および範囲内での全ての変更が含まれることが意図される。また、実施の形態および各変形例において説明された発明は、可能な限り、単独でも、組合わせても、実施することが意図される。
【符号の説明】
【００６０】
１  画像読取装置、１Ａ  本体、１０  制御部、１１  プラテンガラス、１２  プラテンカバー、１３  原稿、１４  スキャナー部、１４Ａ  光源、１５  操作パネル、１８  ＬＥＤユニット、１８Ａ  第１ＬＥＤユニット、１８Ｂ  第２ＬＥＤユニット、１０１  ＣＰＵ、１０３  ネットワークコントローラー、１０４  ＲＯＭ、１５０  タッチパネル。
【図１】
2017200038.tif 000003
【図２】
2017200038.tif 000004
【図３】
2017200038.tif 000005
【図４】
2017200038.tif 000006
【図５】
2017200038.tif 000007
【図６】
2017200038.tif 000008
【図７】
2017200038.tif 000009
【図８】
2017200038.tif 000010
【図９】
2017200038.tif 000011
【図１０】
2017200038.tif 000012
【図１１】
2017200038.tif 000013
【図１２】
2017200038.tif 000014
【図１３】
2017200038.tif 000015
【図１４】
2017200038.tif 000016
【図１５】
2017200038.tif 000017
【図１６】
2017200038.tif 000018
【図１７】
2017200038.tif 000019
【図１８】
2017200038.tif 000020